(57)【要約】      （修正有）【課題】左右方向に倒れることを防止する構造を有した三脚脚立を提供する。【解決手段】左右一対の主杆３、３間に踏み桟５、５・・・を上下数段に横架してなる前側梯子状部１の上端１ａに後側支持杆２を枢着してなる三脚脚立において、該前側梯子状部１の左右各側にそれぞれ補助支持杆２１の上端２１ａを取り付け、当該各補助支持杆２１は長さ調節自在、かつ、左右方向と前後方向とに回動自在であることを特徴とする三脚脚立。補助支持杆２１の上端２１ａは、前側梯子状部１における左右一対の主杆３、３から後方に延びる前後方向部材にそれぞれ取り付ける。【選択図】図１
0003188463.tif 000002
【実用新案登録請求の範囲】
【請求項１】
左右一対の主杆間に踏み桟を上下数段に横架してなる前側梯子状部の上端に後側支持杆を枢着してなる三脚脚立において、
該前側梯子状部の左右各側にそれぞれ補助支持杆の上端を取り付け、当該各補助支持杆は長さ調節自在、かつ、左右方向と前後方向とに回動自在であることを特徴とする三脚脚立。
【請求項２】
前記前側梯子状部における左右一対の前記主杆から後方に延びる前後方向部材にそれぞれ回動環を回動自在に嵌着し、該回動環に吊下体を取り付け、該吊下体に左右方向の透孔を形成し、該透孔に棒状体を回動自在に挿通し、該棒状体に前記補助支持杆の上端を取り付けることにより、前記各補助支持杆を左右方向と前後方向とに回動自在となしたことを特徴とする請求項1に記載の三脚脚立。
【請求項３】
前記各補助支持杆に接地部を備えさせ、当該各補助支持杆を前方に回動させ、該接地部を前記前側梯子状部に係止することにより、各補助支持杆を前記前側梯子状部に近接させて三脚脚立をコンパクトな状態に維持することができるようにしたことを特徴とする請求項１又は２に記載の三脚脚立。
【考案の詳細な説明】
【技術分野】
【０００１】
本考案は、園芸、農業、林業等に用いられる三脚脚立に関するものである。
【背景技術】
【０００２】
三脚脚立としては、例えば実開平６−５１４９８号公報に示すように、左右一対の主杆間に踏み桟を上下数段に横架してなる前側梯子状部の上端に後側支持杆を枢着してなるもの（以下「従来の三脚脚立」という。）が知られている。
【先行技術文献】
【特許文献】
【０００３】
【特許文献１】実開平６−５１４９８号公報
【考案の概要】
【考案が解決しようとする課題】
【０００４】
しかるに、上記従来の三脚脚立においては、作業者が特に前側梯子状部の高所に乗って作業しているときに、該作業者の動き、強風その他の原因により該三脚脚立がバランスを失って左右方向に倒れるおそれがある。このように三脚脚立が左右方向に倒れた場合には、該作業者及び該三脚脚立の近傍で作業等を行っている者に身体的危険を及ぼすおそれがある。
【０００５】
このような状況に鑑み、本考案は、上記従来の三脚脚立が左右方向に倒れることを防止しようとしてなされたものである。
【課題を解決するための手段】
【０００６】
上記課題を解決するために、本考案は、下記の三脚脚立を提供するものである。
【０００７】
（１）左右一対の主杆間に踏み桟を上下数段に横架してなる前側梯子状部の上端に後側支持杆を枢着してなる三脚脚立において、
該前側梯子状部の左右各側にそれぞれ補助支持杆の上端を取り付け、当該各補助支持杆は長さ調節自在、かつ、左右方向と前後方向とに回動自在であることを特徴とする三脚脚立（請求項1）。
【０００８】
(２)前記前側梯子状部における左右一対の前記主杆から後方に延びる前後方向部材にそれぞれ回動環を回動自在に嵌着し、該回動環に吊下体を取り付け、該吊下体に左右方向の透孔を形成し、該透孔に棒状体を回動自在に挿通し、該棒状体に前記補助支持杆の上端を取り付けることにより、前記各補助支持杆を左右方向と前後方向とに回動自在となす（請求項２）。
【０００９】
（３）前記各補助支持杆に接地部を備えさせ、当該各補助支持杆を前方に回動させ、該接地部を前記前側梯子状部に係止することにより、各補助支持杆を前記前側梯子状部に近接させて三脚脚立をコンパクトな状態に維持することができる（請求項３）。
本出願において、「前」「後」「左」「右」とは、それぞれ三脚脚立についての前、後、左、右をいうものとする。
【考案の効果】
【００１０】
[請求項1の考案]
本考案による三脚脚立は、前側梯子状部の左右各側にそれぞれ補助支持杆の上端を取り付け、当該各補助支持杆は長さ調節自在、かつ、左右方向と前後方向とに回動自在であるため、左右の各補助支持杆を前側梯子状部から外方に開いた状態で三脚脚立を使用したときには、該三脚脚立は極めて安定し、左右方向にも倒れるおそれがない（図１、図２参照）。また、当該各補助支持杆は長さ調節自在、かつ、左右方向と前後方向とに回動自在であるため、該三脚脚立を立てる地面に多少の凹凸ないし傾斜があっても、該補助支持杆の長さを調節し、又は該補助支持杆を左右方向ないし前後方向に回動させることにより、該三脚脚立の安定性を確保することができる。更に、三脚脚立の保管時ないし運搬時には、各補助支持杆を後側支持杆と共に前側梯子状部に近接させることにより、該三脚脚立全体を保管ないし運搬に適したコンパクトな状態にすることができる（図４、図３参照。）
【００１１】
[請求項２の考案]
前記前側梯子状部における左右一対の主杆から後方に延びる前後方向部材にそれぞれ回動環を回動自在に嵌着し、該回動環に吊下体を取り付け、該吊下体に左右方向の透孔を形成し、該透孔に棒状体を回動自在に挿通し、該棒状体に前記補助支持杆の上端を取り付けるようにしたため、前記各補助支持杆は左右方向と前後方向とに確実に回動する。
【００１２】
[請求項３の考案]
前記各補助支持杆に接地部を備えさせ、当該各補助支持杆を前方に回動させ、該接地部を前記前側梯子状部に係止することにより、各補助支持杆を前記前側梯子状部に近接させて三脚脚立をコンパクトな状態に維持することができるようにしたため、非使用時における三脚脚立の保管、運搬等に好都合である。
【図面の簡単な説明】
【００１３】
【図１】図１は、本考案による三脚脚立の一例を示す斜視図である。
【図２】図２は、同上三脚脚立の正面図である。
【図３】図３は、同上三脚脚立において、各補助支持杆を後側支持杆と共に前側梯子状部に近接させた状態を示す正面図である。
【図４】図４は、同上三脚脚立において、各補助支持杆を後側支持杆と共に前側梯子状部に近接させた状態を示す側面図である。
【図５】図５は、補助支持杆の上端を前側梯子状部の側部に取り付けた状態を示す一部断面側面図である。
【図６】図６は、補助支持杆の上端を前側梯子状部の側部に取り付けた状態を示す一部断面正面図である。
【図７】図７は、補助支持杆の長さ調節手段の一例を示す斜視図である。
【図８】図８は、同上長さ調節手段の断面図である。
【図９】図９は、図８のＩＸ−ＩＸ線における断面図である。
【考案を実施するための形態】
【００１４】
まず、本考案による三脚脚立が上記従来の三脚脚立と共通している点について説明する。
【００１５】
すなわち、本考案による三脚脚立は、左右一対の主杆３、３間に踏み桟５、５・・・を上下数段に横架してなる前側梯子状部１の上端１ａに後側支持杆２を枢着してなる点において、上記従来の三脚脚立と共通している。
【００１６】
前側梯子状部１は、下端１ｂに接地部７、７を備えている。接地部７は、一例として断面略Ｌ字状体であって、各主杆３の下端に固定されている。符号９に示すものは主杆３の後方に該主杆３と略平行に配設された主杆補強部材であり、符号１１に示すものは主杆３と主杆補強部材９を連結する連結杆である。連結杆１１は、前側梯子状部１の左右各側において主杆３、３から後方に延びる前後方向部１１ａ、１１ａと、これらの前後方向部１１ａ、１１ａを相互に結ぶ左右方向部１１ｂとよりなる平面視略コ字状体である（図１参照）。
【００１７】
前側梯子状部１の上端１ａに枢着される後側支持杆２は、該前側梯子状部１に対し前後方向に回動自在である。後側支持杆２は、上端２ａが前側梯子状部１の上端１ａに枢着され、好ましくは、後述の補助支持杆と同様に長さ調節自在である。すなわち、後側支持杆２は、後述の補助支持杆におけるものと同様の長さ調節手段１３を備えている。後側支持杆２は、下端２ｂに前側梯子状部１の接地部７と同様の接地部１５を備えている。後側支持杆２と前側梯子状部１との間には、チェーン等の広がり防止手段１９が取り付けられている。
【００１８】
次に、本考案による三脚脚立が上記従来の三脚脚立と異なる点について説明する。
【００１９】
前側梯子状部１の左右各側にそれぞれ補助支持杆２１の上端２１ａを取り付け、当該各補助支持杆２１は長さ調節自在、かつ、左右方向と前後方向とに回動自在である。
【００２０】
補助支持杆２１の上端２１ａは、好ましくは、前側梯子状部1における左右一対の主杆３、３から後方に延びる前後方向部材にそれぞれ取り付ける。当該前後方向部材は、一例として、前記連結杆１１の前後方向部１１ａ、１１ａとする。
【００２１】
すなわち、図５、図６に示すように、連結杆１１の前後方向部１１ａに回動環２３を回動自在に嵌着し、該回動環２３に吊下体２５を取り付け、該吊下体２５に左右方向の透孔２７を形成し、該透孔２７に棒状体２９を回動自在に挿通し、該棒状体２９に補助支持杆２１の上端２１ａを取り付ける。棒状体２９は一例としてボルトとし、該ボルトを補助支持杆２１の上端２１ａに備えさせた取付具２８にナット３０により締め付ける。
【００２２】
図５、図６に示す事例においては、補助支持杆２１は、連結杆１１の前後方向部１１ａを回動中心として左右方向に回動し（図６の矢印参照）、左右方向の棒状体２９を回動中心として前後方向に回動する（図５の矢印参照）。
【００２３】
各補助支持杆２１は長さ調節自在である。すなわち、各補助支持杆２１は長さ調節手段３１を備えている。長さ調節手段３１は、図７〜図９に示すように、補助支持杆２１の下端にケース３３を取り付け、該ケース３３は一側部を開口部３３ａとし、該ケース３３内における該開口部３３ａに対向する他側部３３ｂに凸部３５を備えさせ、補助支持杆２１よりも小径の脚杆３７を、該ケース３３と、一端３９ａを該凸部３５の下面に係止させ、他端３９ｂを該開口部３３ａより突出させた操作板３９と、該補助支持杆２１内と、に下方より挿通させ、該操作板３９の下面３９ｃと該ケース３３内の底面３３ｃとの間にコイルばね等のばね４１を配設してなるものである。符号４３に示すものは、操作板３９に形成された脚杆３７の挿通孔である。
【００２４】
該長さ調節手段３１においては、操作板３９は、常時は、他端３９ｂが高くなるようにばね４１の力により傾斜して挿通孔４３の内面が脚杆３７の表面に圧接しているため、該脚杆３７は上下動不能（長さ調節不能）にロックされている。操作板３９の他端３９ｂをばね４１の力に抗して押し下げたときには、操作板３９の挿通孔４３内面は脚杆３７の表面から離れるため、脚杆３７のロックが解除され、脚杆３７を補助支持杆２１に対し上下動することが可能となる。すなわち、補助支持杆２１の長さ調節が可能となる。
【００２５】
補助支持杆２１は下端に前側梯子状部１の接地部７と同様の接地部４５を備えている。すなわち、該接地部４５は一例として断面略Ｌ字状体とする。
【００２６】
三脚脚立の非使用時には、各補助支持杆２１を前方に回動させ、接地部４５を前側梯子状部１に係止することにより、各補助支持杆２１を前側梯子状部１に近接させて三脚脚立をコンパクトな状態に維持することができる。図７参照。
【符号の説明】
【００２７】
１  前側梯子状部
１ａ  上端
１ｂ  下端
２  後側支持杆
３  主杆
５  踏み桟
７  接地部
９  主杆補強部材
１１  連結杆
１１ａ  前後方向部
１１  左右方向部
１３  長さ調節手段
１５  接地部
１９  広がり防止手段
２１  補助支持杆
２１ａ  上端
２３  回動環
２５  吊下体
２７  透孔
２８  取付具
２９  棒状体
３０  ナット
３１  長さ調節手段
３３  ケース
３３ａ  開口部
３３ｂ  他側部
３３ｃ  底面
３５  凸部
３７  脚杆
３９  操作板
３９ａ  一端
３９ｂ  他端
３９ｃ  下面
４１  ばね
４３  挿通孔
４５  接地部
【図１】
0003188463.tif 000003
【図２】
0003188463.tif 000004
【図３】
0003188463.tif 000005
【図４】
0003188463.tif 000006
【図５】
0003188463.tif 000007
【図６】
0003188463.tif 000008
【図７】
0003188463.tif 000009
【図８】
0003188463.tif 000010
【図９】
0003188463.tif 000011